(57)【要約】【課題】腕マッサージ部内の手と前腕を上方へスムーズ且つ容易に離脱させる。【解決手段】本発明の椅子型マッサージ機１は、座部２と、背もたれ部４と、左右一対の肘掛け部３と、使用者の前腕Ｖの施療部をマッサージする腕マッサージ部５と、を有し、腕マッサージ部５は、施療部の左右方向の外側を覆う保持体１０と、施療部の左右方向の内側を覆うと共に保持体１０の下端から上方に向かって伸びるカバー体１１と、で施療部を左右から挟み込む構成なっていて、保持体１０またはカバー体１１のいずれか一方に押圧マッサージを行うエアバッグ１２が設けられていて、腕マッサージ部５は、後方に向かって開口する開口部８を有しており、保持体１０の上端と、カバー体１１の上端との間には、施療部を上方に向かう引き抜くことを可能とする切り欠き１２が、腕マッサージ部５の前後方向の中途側から後端にかけて、且つ上方に向かって形成されている。【選択図】図１
2019088376.tif 000002
【特許請求の範囲】
【請求項１】
座部と、当該座部の後側に設けられた背もたれ部と、前記座部２の左右方向の両側に設けられた一対の肘掛け部と、当該肘掛け部に設けられて少なくとも使用者の前腕を含む施療部を覆うと共に当該施療部に対するマッサージを可能とする腕マッサージ部と、を有する椅子型マッサージ機において、
前記腕マッサージ部は、前記施療部の左右方向の外側を覆う保持体と、前記施療部の左右方向の内側を覆うと共に前記保持体の下端から上方に向かって伸びるように取り付けられたカバー体と、を備え、前記保持体とカバー体とで施療部を左右から挟み込む構成となっていて、
前記保持体またはカバー体の少なくともいずれか一方に、前記施療部に対して押圧マッサージを行うエアバッグが設けられていて、
前記腕マッサージ部は、前記施療部を挿入可能な開口部を、前記保持体とカバー体との間に、後方に向かって開口するように有しており、
前記保持体の上端と、カバー体の上端との間には、前記施療部を上方に引き抜くことを可能とする切り欠きが、前記腕マッサージ部の前後方向の中途側から後端にかけて、且つ上方に向かって形成されている
ことを特徴とする椅子型マッサージ機。
【請求項２】
前記保持体は、上下方向に沿うように起立した側壁部と、前記側壁部の上端から左右方向の内側に伸びる上壁部と、を有しており、
前記カバー体の上端が前記上壁部よりも上方に突出している
ことを特徴とする請求項１に記載の椅子型マッサージ機。
【請求項３】
前記保持体は、上下方向に沿うように起立した側壁部と、前記側壁部の上端から左右方向の内側に伸びる上壁部と、を有しており、
前記エアバッグが、前記保持体における側壁部に設けられていることを特徴とする請求項１又は２に記載の椅子型マッサージ機。
【請求項４】
前記保持体は、上下方向に沿うように起立した側壁部と、前記側壁部の上端から左右方向の内側に伸びる上壁部と、を有しており、
前記エアバッグが、前記保持体における側壁部と上壁部との双方に跨るように設けられていることを特徴とする請求項１又は２に記載の椅子型マッサージ機。
【請求項５】
前記カバー体に隣接するように、前記保持部材が座部より立設されていることを特徴とする請求項１〜４のいずれかに記載の椅子型マッサージ機。
【請求項６】
前記保持部材の左右方向の外側及び／又は内側には、前記エアバッグとは別のエアバッグが配備されている請求項５に記載の椅子型マッサージ機。
【請求項７】
前記カバー体の内部には、当該カバー体を起立した姿勢に支持する支持部材が設けられていることを特徴とする請求項１〜６のいずれかに記載の椅子型マッサージ機。
【発明の詳細な説明】
【技術分野】
【０００１】
本発明は、肘掛け部に使用者の手や前腕などの施療部をマッサージする腕マッサージ部を備えた椅子型マッサージ機に関するものである。
【背景技術】
【０００２】
周知の如く、椅子型マッサージ機の技術分野においては、使用者の腕をマッサージ可能な腕マッサージ部を備えたものが既に開発されている（例えば、特許文献１など）。
【先行技術文献】
【特許文献】
【０００３】
【特許文献１】特許５００９４４５号公報
【発明の概要】
【発明が解決しようとする課題】
【０００４】
特許文献１のマッサージ機は、座部の両側にそれぞれ配設された肘掛け部に、被施療者の腕部を部分的に覆って保持する一対の保持部を備えている。この保持部は、その幅方向に切断して見た断面において被施療者の腕を挿入する開口が形成されていると共に、その内面に互いに対向する部分を有している。すなわち、保持部は、腕部の外側を覆うことができるように略Ｃ字状（略コ字状）の断面形状を有したものとなっている。 
【０００５】
しかしながら、特許文献１のマッサージ機のようにコ字状の開口が横（真横）を向き、且つ開口同士が互いに対向するような保持部を設けた場合、腕部に対して、マッサージを施術する上で、以下に述べる難点が生じる。 
例えば、特許文献１の図１、２などを参照してもわかるように、保持部は、腕部（前腕）の外側をマッサージすることは可能であるが、座部に面する内側は開放状とされているのでマッサージ機構を配することができず、腕部の内側をマッサージすることができない。つまり、特許文献１は、腕部（前腕）を全体に亘って、効果的な押圧マッサージを施術できるものとはなっていない。 
【０００６】
また、このような略半円筒状の保持部において、腕部のマッサージを実施した場合、保持部の内側は、開放状となっているので、使用者の前腕を支えるような部材を設けることができない。そのため、エアバッグにより前腕が内側に向かって押されたとき、前腕が内側に逃げて押圧力を十分に発揮することができず、十分な押圧マッサージを施術できない可能性がある。また、エアバッグの押し付け力が大きい場合は、開放された内側より腕部が保持部から完全に脱落してしまう虞があるといった不都合も生じる。 
【０００７】
なお、座部に面する内側をカバーする部材を設けて、開口を閉鎖したりマッサージ機構などを配置したりすることも考えられるが、このようにするとマッサージ後に手や前腕を引き抜くことが困難になり、マッサージ機としての利便性を大きく損なうことになる。
本発明は、上述した問題に鑑みてなされたものであり、手や前腕の施療部を全体に亘って効果的にマッサージできるものでありながら、マッサージを終了後に施療部を上方へスムーズ且つ容易に離脱させることが可能な腕マッサージ部を備えた椅子型マッサージ機を提供することを目的とする。
【課題を解決するための手段】
【０００８】
上記課題を解決するため、本発明の椅子型マッサージ機は以下の技術的手段を講じている。
即ち、本発明の椅子型マッサージ機は、座部と、当該座部の後側に設けられた背もたれ部と、前記座部２の左右方向の両側に設けられた一対の肘掛け部と、当該肘掛け部に設けられて少なくとも使用者の前腕を含む施療部を覆うと共に当該施療部に対するマッサージを可能とする腕マッサージ部と、を有する椅子型マッサージ機において、前記腕マッサージ部は、前記施療部の左右方向の外側を覆う保持体と、前記施療部の左右方向の内側を覆うと共に前記保持体の下端から上方に向かって伸びるように取り付けられたカバー体と、を備え、前記保持体とカバー体とで施療部を左右から挟み込む構成となっていて、前記保持体またはカバー体の少なくともいずれか一方に、前記施療部に対して押圧マッサージを行うエアバッグが設けられていて、前記腕マッサージ部は、前記施療部を挿入可能な開口部を、前記保持体とカバー体との間に、後方に向かって開口するように有しており、前記保持体の上端と、カバー体の上端との間には、前記施療部を上方に引き抜くことを可能とする切り欠きが、前記腕マッサージ部の前後方向の中途側から後端にかけて、且つ上方に向かって形成されていることを特徴とする。
【０００９】
なお、好ましくは、前記保持体は、上下方向に沿うように起立した側壁部と、前記側壁部の上端から左右方向の内側に伸びる上壁部と、を有しており、前記カバー体の上端が前記上壁部よりも上方に突出しているとよい。
なお、好ましくは、前記保持体は、上下方向に沿うように起立した側壁部と、前記側壁部の上端から左右方向の内側に伸びる上壁部と、を有しており、前記エアバッグが、前記保持体における側壁部に設けられているとよい。
【００１０】
なお、好ましくは、前記保持体は、上下方向に沿うように起立した側壁部と、前記側壁部の上端から左右方向の内側に伸びる上壁部と、を有しており、前記エアバッグが、前記保持体における側壁部と上壁部との双方に跨るように設けられているとよい。
なお、好ましくは、前記カバー体に隣接するように、前記保持部材が座部より立設されているとよい。
【００１１】
なお、好ましくは、前記保持部材の左右方向の外側及び／又は内側には、前記エアバッグとは別のエアバッグが配備されているとよい。
なお、好ましくは、前記カバー体の内部には、当該カバー体を起立した姿勢に支持する支持部材が設けられているとよい。
【発明の効果】
【００１２】
本発明に係る椅子型マッサージ機によれば、手と前腕に対して良好なマッサージを施すことができると共に、手と前腕のマッサージ終了時において、腕マッサージ部内に収容された手と前腕を、上方へスムーズ、且つ容易に離脱させることができる。
【図面の簡単な説明】
【００１３】
【図１】（ａ）は腕マッサージ部が格納位置にある場合の椅子型マッサージ機を示す斜視図であり、（ｂ）は腕マッサージ部がマッサージ位置にある場合の椅子型マッサージ機を示す斜視図である。
【図２】本発明の椅子型マッサージ機に設けられる腕マッサージ部の断面を、開口部からの位置に応じて示した図である。
【図３】保持部材に対するエアバッグの取り付け関係を示す図である（カバー体省略）
【図４】（ａ）は腕マッサージ部に手と前腕を挿し込む前の状態を示す図であり、（ｂ）は腕マッサージ部に手と前腕を挿し込んだ状態を示す図であり、（ｃ）は腕マッサージ部から手と前腕を離脱させた状態を示す図である。
【図５】腕マッサージ部を斜め前方から見た図である。
【図６】他の実施形態の腕マッサージ部を斜め前方から見た図である。
【図７】左右の腕マッサージ部の取付方向及び位置関係を示す正面模式図である。
【発明を実施するための形態】
【００１４】
以下、本発明にかかる椅子型マッサージ機１を図に基づいて説明する。
図１に示すように、椅子型マッサージ機１は、使用者が着座する座部２と、座部２の後側に設けられると共に座部２に着座した使用者の背中を支持する背もたれ部４と、を備えている。また、椅子型マッサージ機１は、座部２の左右方向の両側に、前後方向に伸びるように設けられて、座部２に着座した使用者の手Ｗ及び前腕Ｖを支持可能な肘掛け部３を有している。さらに、これらの肘掛け部３には、腕のマッサージを可能とする腕マッサージ部５がそれぞれ設けられている。
【００１５】
なお、上述した腕マッサージ部５は、図１（ａ）に示すように肘掛け部３の内部に格納された格納位置と、図１（ｂ）に示すように肘掛け部３の上側に引き出されてマッサージを可能とするマッサージ位置との間を上下方向に移動自在とされている。
以下、図１（ａ）及び図１（ｂ）に示す如く、椅子型マッサージ機１に座った使用者（被マッサージ者）から見た前後方向を椅子型マッサージ機１を説明する際の前後方向と呼び、使用者から見た左右方向を椅子型マッサージ機１を説明する際の左右方向（幅方向）と呼ぶ。また、椅子型マッサージ機１に座った使用者から見た上下方向を椅子型マッサージ機１を説明する際の上下方向と呼ぶ。なお、使用者の施療部位に関しては、「腕」と呼ばれる部分のうち、手首から肘までを「前腕Ｖ」と呼び、手首から先の部分を「手Ｗ」と呼ぶ。そして、本明細書では、使用者の「前腕Ｖ」及び「手Ｗ」を合わせて施療部という場合がある。
【００１６】
座部２は、使用者が着座可能なように平面視で矩形状に形成された部材である。座部２は、床面から上方に距離をあけて、水平に座面が向くように取り付けられている。座部２の内部には使用者の体重を支持できるように図示しないフレーム部材が設けられており、また座部２の上面側にはクッション部材が配備されていて使用者に良好な座り心地を提供できるようになっている。座部２の左側と右側には、肘掛け部３がそれぞれ設けられている。また、座部２の下側には、フットマッサージ部（図示せず）などを収容可能な空間が形成されている。 
【００１７】
肘掛け部３は、床面に対して垂直に起立した板状の部材であって、座部２を挟んで座部２の左隣と右隣とにそれぞれ配備されている。つまり、本実施形態の肘掛け部３は、座部２の左側に配備される左肘掛け部３Ｌと、座部２の右側に配備される右肘掛け部３Ｒと、の左右一対で構成されている。
これらの左肘掛け部３Ｌ及び右肘掛け部３Ｒは、いずれも前後方向に伸びるように設けられている。この左肘掛け部３Ｌ及び右肘掛け部３Ｒの上面は、いずれも前後方向になだらかに傾斜した平担な面状に形成されており、前腕Ｖ及び手Ｗを支障なく載せられるような幅を備えると共に、施療部を支障なく前後方向に伸ばして載せられることができるような長さを備えている。
【００１８】
肘掛け部３の内部には、上下方向に向かって起立した支持フレーム６が設けられている。この支持フレーム６は、床面に設置可能とされると共に座部２のフレーム部材に対して直交状に連結固定されており、座部２に加わる使用者の体重を座部２のフレーム部材を介して支持できるようになっている。
背もたれ部４は、使用者がもたれ掛かれるように、座部２の後側に設けられている。背もたれ部４は、座部２の後側のフレーム部材に対して左右方向を向く水平軸周りに揺動自在に枢支されている。つまり、背もたれ部４は、上述した水平軸周りに揺動することで自由に傾斜できるようになっており、上下方向に沿って起立した起立姿勢や、後方に向かってほぼ水平に倒れ込んだリクライニング姿勢などに選択的に姿勢変更できるようになっている。
【００１９】
図１〜図７に示すように、本発明の椅子型マッサージ機１の肘掛け部３には、使用者の施療部を確実にマッサージできる腕マッサージ部５（上肢マッサージ部）が備えられている。
腕マッサージ部５は、マッサージを行わない場合は肘掛け部３内に格納（内蔵）可能とされている。このように肘掛け部３内に格納可能な構成を採用すれば、肘掛け部３の上面に前腕Ｖ及び手Ｗを載置する際に邪魔になることがなく、マッサージを行わない肘掛けのみの機能で用いる場合にも問題がない。一方、マッサージを行う場合は、腕マッサージ部５は、マッサージの際に肘掛け部３から上方に引き出してから使用されるようになっている。つまり、本実施形態の腕マッサージ部５は、肘掛け部３の上側に引き出されたマッサージ位置に移動された場合はマッサージを行うことができ、肘掛け部３内に格納された格納位置に移動された場合は単なる肘掛けとして用いることができ、用途に合わせて姿勢を変更可能な構成となっている。
【００２０】
本実施形態の場合であれば、腕マッサージ部５は、当該腕マッサージ部５の先端部（前端部）が肘掛け部３に回動自在に枢支されていて、この肘掛け部３に枢支された枢支軸７（幅方向を向く枢支軸）の軸心回りに腕マッサージ部５が前方回動自在で上下方向に移動可能とされている。
言い換えると、腕マッサージ部５は、肘掛け部３に枢支された先端部に対して後部側が上下方向に揺動する機構となっている。そして、腕マッサージ部５は、先端部に対する後部側の上下揺動を利用して、格納位置とマッサージ位置との間で腕マッサージ部５の移動を可能とする構成とされている。
【００２１】
一方、上述した腕マッサージ部５は、前後方向に沿って長尺状に形成された部材であって、左肘掛け部３に格納自在に配備される左腕マッサージ部５Ｌと、右肘掛け部３に格納自在に配備される右腕マッサージ部５Ｒと、で構成されている。
腕マッサージ部５の後端面には、肘掛け部３の後方に向かって開口され、且つ手Ｗ及び前腕Ｖを前方に向かって挿し込むことができる開口部８（挿入部）が形成されている。この開口部８は、腕マッサージ部５がマッサージ位置に移動したときに後方に向かって開口し、施療部を挿入可能となる構成となっている。腕マッサージ部５の内部には、開口部８から挿し込まれた施療部（手Ｗ及び前腕Ｖ）を収容可能な収容部９が設けられている。具体的には、この収容部９は、後述する保持体１０とカバー体１１との２部材を左右に組み合わせて筒状に形成されており、施療部を全面にわたって包囲することができるようになっている。
【００２２】
次に、右腕マッサージ部５Ｒに着目して、腕マッサージ部５を構成する保持体１０、カバー体１１、エアバッグ１２、及び切り欠き１３について詳細に説明する。なお、左腕マッサージ部５Ｌは、右腕マッサージ部５Ｒを左右反転した配置で配備されていて、内部構造は略同様であるので、左腕マッサージ部５Ｌに関する詳細な説明は省略する。
本実施形態の右腕マッサージ部５Ｒは、施療部の左右方向の外側（右腕マッサージ部５Ｒの場合であれば右側）を覆う保持体１０と、施療部の左右方向の内側（右腕マッサージ部５Ｒの場合であれば左側）を覆うと共に保持体１０の下端から上方に向かって伸びるように取り付けられたカバー体１１と、を備えている。つまり、腕マッサージ部５は、保持体１０とカバー体１１とで施療部を左右から挟み込む構成なっている。
【００２３】
また、保持体１０またはカバー体１１の少なくともいずれか一方には、施療部に対して押圧マッサージを行うエアバッグ１２が設けられている。さらに、保持体１０の上端と、カバー体１１の上端との間には、施療部を上方に向かう引き抜くことを可能とする切り欠き１３が、腕マッサージ部５の前後方向の中途側から後端にかけて、且つ上方に向かって形成されている。
【００２４】
そして、本発明の椅子型マッサージ機１は、上述した切り欠き１３を設けることで、マッサージが終了して手Ｗと前腕Ｖを離脱させるときには、素早く且つ容易に手Ｗと前腕Ｖを上方に離脱することができる点を特徴としている。
図２〜図７などに示すように、右腕マッサージ部５Ｒに設けられる保持体１０は、施療部が収容される収容部９の右側（左右方向の外側）を覆う板状の部材であり、カバー体１１との間に施療部を挟み込むことで施療部を全面にわたって包囲可能とするものである。
【００２５】
具体的には、本実施形態の保持体１０は、上下方向に沿うように起立した側壁部１４と、側壁部１４の上端から左側（左右方向の内側）に伸びる上壁部１５と、を有している。これらの側壁部１４及び上壁部１５はいずれも同じ合成樹脂を用いて形成されており、両部材を断面視が略Ｌ字状となるように組み合わせた構成とされている。
また、上述した保持体１０は、前後方向の長さが３００ｍｍ〜５００ｍｍであり、上下方向の厚みが最も厚いところで１００ｍｍ〜２００ｍｍとされていて、手Ｗ及び前腕Ｖの施療部を余すところなく覆うことができるようになっている。
【００２６】
本実施形態の保持体１０には、施療部に対して押圧マッサージを行うエアバッグ１２が設けられている。このエアバッグ１２は、上述した保持体１０における上壁部１５を除く側壁部１４のみに設けられていても良いし、保持体１０における側壁部１４と上壁部１５との双方に設けられていても良い。
なお、図２に示す本実施形態の場合であれば、上述した収容部９の右側面（幅方向の外側の側面）及び上面にエアバッグ１２（マッサージ用空気袋）が少なくとも一つ以上配備されており、収容部９内に挿し込まれた使用者の手Ｗ（手首から指先まで）や前腕Ｖの施療部に対して右側（幅方向の外側）から押圧力を加えつつ押圧マッサージできるようになっている。
【００２７】
図３に示すように、本実施形態の腕マッサージ部５に設けられたエアバッグ１２は、供給された圧縮空気を、空気配管を通して当該エアバッグ１２内に導くことで、膨張を可能とする部材である。このエアバッグ１２には、図示を省略するエアコンプレッサから圧縮空気が送り込まれている。なお、図３の例では、保持体１０の側壁部１４と上壁部１５とのそれぞれにエアバッグ１２が設けられており、エアコンプレッサから圧縮空気が分岐されてそれぞれ供給される構造となっている。
【００２８】
カバー体１１は、上述した保持体１０に対して保持体１０の左側（幅方向の内側）に設けられる柔らかく且つ屈曲可能とされた部材であり、保持体１０と組み合わせることで、施療部の周囲を全面に亘って包囲するように収容する収容部９を構成している。具体的には、図２などを見れば明らかなように、カバー体１１は、左側（幅方向の内側）に向かって膨らむように湾曲しつつ上下方向に伸びるようになっている。
【００２９】
具体的には、カバー体１１の下端は保持体１０の下端と同じ高さにあり、この保持体１０の下端からカバー体１１は上方に向かって伸びるように取り付けられている。そして、カバー体１１の上端は保持体１０の上壁部１５（上端）よりも上方に突出する構成となっており、カバー体１１は保持体１０よりも上下方向に長く形成されている。
また、カバー体１１の前端は保持体１０の前端と同じ位置に設けられているが、カバー体１１の後端は保持体１０の後端よりも後方に位置しており、カバー体１１の方が保持体１０よりも前後方向に長尺とされている。
【００３０】
なお、カバー体１１の前端側には、収容部９の通気を行う通気口１６が、上下方向に沿うスリット状に形成されている。この通気口１６は、切り込まれた部分から収容部９内に空気を取り入れることができるようになっており、収容部９内の蒸れを防止可能な部分となっている。また、この通気口１６から収容部９の外側に指先を差し出すことも可能となっており、マッサージを受ける使用者に無用な圧迫感を与えないような配慮が為されている。
【００３１】
また、上述したカバー体１１の内部には、カバー体１１を起立した姿勢に支持する支持部材が設けられているのが好ましい。例えば、カバー体１１を合成繊維のような変形しやすい材料で形成した場合、カバー体１１を上方に向かって起立させることは困難になる。しかし、カバー体１１の内部に、プラスチックの板などで形成した支持部材を設ければ、カバー体１１を確実に起立させて用いることができ、切り欠き１３が大きく開口する（開口部となる）ことを防ぐことが可能となる。
【００３２】
切り欠き１３は、保持体１０の上端と、カバー体１１の上端との間に、前後方向に沿って形成されている。この切り欠き１３は、カバー体１１の前後方向の中間部からカバー体１１の後端までの範囲（カバー体１１の後端から前方に１５０ｍｍ〜２５０ｍｍ程度の範囲）に亘って形成されていて、収容部９の内外を上下に貫通するように形成されている。つまり、この切り欠き１３は、腕の根本側（反指先側）に、上方に向かって開口するように形成されたスリット状の切り込みであり、収容部９内に収容された施療部を上方に向かってスムーズ且つ容易に引き抜くことを可能とするものである。
【００３３】
具体的には、上述したようにカバー体１１の上端は保持体１０の上端よりも上方に向かって突出した構造とされているため、カバー体１１の内面に沿わせるように施療部を上方に移動させれば、切り欠き１３で前腕Ｖや手Ｗが引っかかることなく施療部をスムーズに上方に引き上げることができ、スムーズな施療部の引き抜きが可能となる。
つまり、挿し込まれた手Ｗや前腕Ｖを引き抜く場合は、図４のような手順で操作を行うことができる。
【００３４】
すなわち、図４（ａ）に示すように、手Ｗや前腕Ｖを腕マッサージ部５に挿し込む場合は、後方に向かって開口した開口部８から、前方に向かって手Ｗや前腕Ｖを挿し入れる。上述したように腕マッサージ部５（保持体１０）は前後方向の寸法が３００ｍｍ〜５００ｍｍとされているため、収容部９に使用者の手Ｗと前腕Ｖの施療部を挿し入れれば、図４（ｂ）に示すようにこれらの施療部を確実にカバーして収容することができる。
【００３５】
一方、収容部９に挿し入れられた手Ｗや前腕Ｖを引き抜く場合は、手Ｗや前腕Ｖを一旦後方に引き抜く必要がある。つまり、上述した切り欠き１３は保持体１０の前後方向の中間から後端側にかけて形成されているため、収容部９に完全に収容された状態で施療部を上方に引き上げようとしても手先が邪魔になって引き抜きはできない。そのため、一旦、手Ｗや前腕Ｖを後方に向かって１５０ｍｍ程度引き抜く。
【００３６】
そうすると、手Ｗや前腕Ｖの位置と、切り欠き１３の位置とが、前後方向で合致するようになり、図４（ｂ）に示すように手Ｗや前腕Ｖを支障なく上方に引き抜くことが可能となる。
上述したような切り欠き１３は、後方に向かって開口した開口部から手Ｗや前腕Ｖを挿し入れる形式の腕マッサージ部５において、目立った利便性を発揮することができる。
【００３７】
例えば、図５に示すように、前端側を中心に後端側を上下方向に揺動させることで、肘掛け部３から出退可能な腕マッサージ部５、言い換えれば後方に向かって開口した開口部８から手Ｗや前腕Ｖを挿し入れる形式の腕マッサージ部５を考える。このような腕マッサージ部５は、マッサージ位置まで揺動された状態（後方上側に向かって傾斜した状態）では、開口部８よりも後方に十分なスペースがなく、手Ｗや前腕Ｖを後方に向かって引き抜くためには、身体を捻ったり撚ったりすることが必要となり、利便性を損なう要因となっていた。
【００３８】
しかし、上述した本実施形態の腕マッサージ部５では、手Ｗや前腕Ｖを後方に向かって少し引き抜くだけで、切り欠き１３から施療部を上方に引き抜くことができ、上述したように後方に十分な距離を確保できない腕マッサージ部５でも、手Ｗや前腕Ｖを収容部９から容易に引き抜くことが容易となる。そのため、上述したような切り欠き１３は、後端側の開口部８から手Ｗや前腕Ｖを挿し入れる形式の腕マッサージ部５において特に好適に用いることができるのである。
【００３９】
なお、図５に示すように、上述した腕マッサージ部５の側方であって幅方向の内側には、上下方向に沿って起立した板状の保持部材１８が、前後方向に沿って設けられるのが好ましい。この保持部材１８は、カバー体に隣接するように、座部２より立設されていて、保持部材１８自体は、金属板や硬化プラスチックなどの硬い材料で形成されている。
また、保持部材１８は、左右方向に動かないように座部２側に固定されており、保持体１０のエアバッグ１２が膨張して押圧力が作用しても、左右方向に動いたり移動したりすることがない。
【００４０】
ところが、上述した保持部材１８が設けられていない場合は、施療部の左右方向の内側には変形しやすいカバー体１１が存在するのみで、施療部の移動を規制する部材がないため、膨張するエアバッグ１２に押されて施療部が内側に逃げてしまい、エアバッグ１２の押圧力を施療部に確実に伝えることができない場合も考えられる。
そこで、本発明の腕マッサージ部５では、上述した保持部材１８を設けて、膨張したエアバッグ１２に押されて使用者の施療部（手Ｗや前腕Ｖ）が左右方向の内側に逃げることがないようにしている。それゆえ、腕マッサージ部５の幅方向の内側に保持部材を備えた椅子型マッサージ機１では、施療部の移動を規制するため、施療部にエアバッグ１２の押圧力を確実に伝えることができ、施療部を確実にマッサージすることが可能となる。
【００４１】
一方、保持部材１８は、上述した腕マッサージ部５の揺動機構と協働させた場合には、以下のような作用効果を発揮することもできる。
すなわち、座部２に固定されて移動しない保持部材１８に対して、腕マッサージ部５を上方に揺動させた場合には、腕マッサージ部５の揺動角度に応じて、左右に隣接し合う保持部材１８と腕マッサージ部５との重複面積（それぞれの部材がオーバーラップし合う面積）を調整することができる。例えば、腕マッサージ部５の揺動角度が小さい場合（水平に近い揺動角度の場合）は、左右に隣接し合う保持部材１８と腕マッサージ部５との重複面積が大きく、保持部材１８による施療部の移動規制効果も強いものとなり、腕マッサージ部５のマッサージ効果を強くすることができる。
【００４２】
逆に、腕マッサージ部５の揺動角度が小さい場合は、左右に隣接し合う保持部材１８と腕マッサージ部５との重複面積が小さくなり、保持部材１８による施療部の移動規制効果が弱いものとなる。その結果、腕マッサージ部５のマッサージ効果を弱く調整することができる。
また、図６に示す如く、上述した保持部材１８を設けた場合は、腰用エアバッグ１９（エアバッグ１２とは別のエアバッグ）を配備せずに、保持部材１８の左右方向の外側（カバー体１１に対面する側）に、腰用エアバッグ１９とは異なるエアバッグ２０（エアバッグ１２とは別のエアバッグ）を設けることもできる。この場合、エアバッグ２０とエアバッグ１２とにより、前腕Ｖを狭圧マッサージすることが可能となる。
【００４３】
保持部材１８の左右方向の内側（使用者に対面する側）に腰用エアバッグ１９を配備すると共に、保持部材１８の左右方向の外側（カバー体１１に対面する側）にエアバッグ２０を合わせて配備することも可能である。
すなわち、腰用エアバッグ１９は、上述した保持体１０に設けられるエアバッグ１２と同様に、表面に張り巡らされた供給配管に圧縮された空気を導き入れることで、膨張を可能とする部材である。この腰用エアバッグ１９は、上下方向に沿って起立すると共に、前後方向に沿って配備されており、膨張することで左右方向に押圧力を発生可能となっている。
【００４４】
また、保持部材１８は、座部２と肘掛け部３との間に板状の部材であり、上下方向および前後方向に起立状に設けられていて、上述したカバー体１１に対して左右方向の内側に隣接するように座部２に立設されている。
つまり、上述した腰用エアバッグ１９を膨張させて左右方向に沿って押圧力を発生させれば、左右方向の外側に保持部材１８が設けられているので、発生した押圧力は保持部材１８に跳ね返されて左右方向の内側に作用し（反力として作用し）、座部２に着座した使用者の腰部の施療部に効果的に作用する。そのため、上述した腰用エアバッグ１９と保持部材１８とを備えた椅子型マッサージ機１では、腰部の施療部に対しても効果的な押圧マッサージを行うことが可能となる。
【００４５】
同様に、カバー体１１に隣接するエアバッグ２０を膨張させて左右方向に押圧力を発生させれば、その押圧力がカバー体１１を介して左右方向の外側へ伝わり、エアバッグ１２の押圧力と協働し、前腕Ｖを狭圧マッサージすることが可能となる。
図７に示すように、上述した左右の腕マッサージ部５に設けられる保持体１０及びカバー体１１は、いずれも略同じ高さに配備されている（図７の例では、カバー体１１の上端が上壁部１５よりも上方にやや突出している）。そして、保持体１０とカバー体１１との間に形成される切り欠き１３は、互いに対向し合うことなくいずれも上方を向いており、施療部の引き抜き方向は互いに平行となっている。そのため、左右方向の内側に存在する座部２に着座した使用者の腰や下肢に、引き抜く施療部が接触することはない。
【００４６】
ところが、左右の腕マッサージ部５が互いに対向している場合には、腕マッサージ部５の開口も左右方向の内側を向いており、手Ｗや前腕Ｖの引き抜き方向に使用者の腰や下肢があるため、引き抜く施療部が身体に接触し、引き抜きの邪魔になる場合がある。つまり、本発明の椅子型マッサージ機１は、手Ｗや前腕Ｖなどの引き抜きがスムーズに行えるように、切り欠き１３をいずれも上方に開口するようにしたものとなっている。
【００４７】
なお、図７に示すように、本実施形態の場合、カバー体１１の上端が上壁部１５よりも上方に突出しているが、この突出している部分は、左右方向外側へ湾曲するように構成するとよい。これにより、使用者が上壁部１５上（アームレスト上）に腕を置いた際にも、カバー体１１の上縁が腕に当接するなどして邪魔になることはない。
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００４８】
１  椅子型マッサージ機
２  座部
３  肘掛け部
３Ｌ  左肘掛け部
３Ｒ  右肘掛け部
４  背もたれ部
５  腕マッサージ部
５Ｌ  左腕マッサージ部
５Ｒ  右腕マッサージ部
６  支持フレーム
７  枢支軸
８  開口部
９  収容部
１０  保持体
１１  カバー体
１２  エアバッグ
１３  切り欠き
１４  側壁部
１５  上壁部
１６  通気口
１８  保持部材
１９  腰用エアバッグ
２０  エアバッグ
Ｖ  前腕
Ｗ  手
【図１】
2019088376.tif 000003
【図２】
2019088376.tif 000004
【図３】
2019088376.tif 000005
【図４】
2019088376.tif 000006
【図５】
2019088376.tif 000007
【図６】
2019088376.tif 000008
【図７】
2019088376.tif 000009